(57)【要約】      （修正有）【課題】自然エネルギーの風力だけを利用して、風車と同期をさせて看板を回転させ、独自性の高いデザインの導入が可能となり、強風時に看板の回転数を抑制する構造をもつ風車式回転看板を提供する。【解決手段】回転運動を起こすための風を受ける風車や羽根、あるいは翼部分と看板部分を構造的に分離し、回転運動をする回転軸で風車部分と、看板部分を連結、あるいは連動させる事により、看板部分の構造的制約を大きく広げる事が出来、独自性の高いデザインの導入が可能となる。回転軸での風車部分と看板部分を磁力により連動させる事により、強風時に風車部分は、風速に比例して回転するが、看板部分は、磁力とバランスが取れるところまでの回転でスリップを起こし、強風時には看板部分の回転は、風車の回転と比例せず、一定限度に抑制される。【選択図】図１
0003115292.tif 000002
【実用新案登録請求の範囲】
【請求項１】
風を受けて2枚または３枚以上の回転翼を持つ風車で、この回転翼と連結している垂直の回転軸と連結し、回転翼とは、構造を別にし回転軸と連結部材により連結して回転する、電気モーター等の風力以外のエネルギーを使わないところを特徴とする、前記風車式回転看板。
【請求項２】
前記風車の回転軸に連結されて回転軸と同一の回転をする磁石つきの円盤と、この磁石つき円盤と対向する磁石つき円盤を持ち、前記回転軸と回転軸は同じで、回転軸とは回転自由になってる看板で、磁石の吸引力で回転し、吸引力以上の回転には追従できない、回転数抑制を特徴とする、請求項1記載の風車。
【考案の詳細な説明】
【技術分野】
【０００１】
本考案は、自然エネルギーの風力だけを利用して、風車と同期をさせて看板を回転させ、強風時には、回転数を抑制する風車式回転看板に関するものである。
【背景技術】
【０００２】
電気エネルギーを利用した電気モーターを駆動源として看板を回転する装置は、広く実用化されている。また、風力で回転する看板は、風車、羽根、翼そのものに、所望の広告を表示している。しかしながら、風車や翼は、風を受けて回転運動に変換させる事が、第1義の目的のために、形状の制約が大きく、この形状の制約のために、独自性の高いデザインが採用しがたい。すなわち看板として自由度が少なく、効果のある看板として実用化されにくい。また、強風時に風車、羽根、翼は制御機能が無ければ、高速で回転し、これらに表示された文字、デザインは判読できず、看板の用を成していない。
【考案の開示】
【考案が解決しようとする課題】
【０００３】
風車を利用した看板は、風車や翼に所望の広告を表示しているが、風力を受けて回転運動させる構造から、自ずと形状に大きく制約される。形状に制約されることにより、看板としての効果が低い。従って、風車部分と、看板部分を分離し、看板部分を風車部分に連結あるいは、同期させて回転させる。看板部分の形状の制約を大きく低減する事により、看板部分に独自性とデザイン性を持たせることが可能になり、前述の欠点を解決しようとするものである。また、強風時に風車が高速で回転する時に、看板部分の回転数を一定回転に抑制し、前述の欠点を解決しようとするものである。    
【課題を解決するための手段】
【０００４】
本考案は、風を受けて回る風車の部分と、広告の用を成す看板部分と構造を別にし、回転軸により連結をしている。回転軸に風車部分を固定する。同じ回転軸に円周上に磁石を配置した円盤を固定する。回転軸と同じ回転軸を持ち、回転自由な看板部分を固定する。この看板部分に前述の磁石を配置した円盤と対向する円盤を固定する。この二つの磁石を配置した円盤を対向して固定する事により、風車部分と看板部分の回転軸を同一にするが、構造的に分離する事により、看板の形状の制約を大きく低減させて、問題点を解決している。看板の回転は、円盤同士の磁気結合により、このバランスが取れるまで風車と同期して回転し、バランスを崩すような風車の高速回転には、追従しない。
【考案の効果】
【０００５】
上記のように、本考案の風車部分と看板部分と構造を別にする事により、看板部分の構造上の制約が大きく緩和されて、看板としての広告効果の高いデザインや、独自性の高い看板が実現可能となる。簡単な構造により、強風時の回転も抑制され、看板としての用を失わない。電気モーターで回転している看板と異なり、風車だけの力で回転しているので、自然エネルギーを利用した自然に優しい看板として、環境に優しい看板として、設置しているショップや企業のイメージアップに役立つ。
【考案を実施するための最良の形態】
【０００６】
低風時でも回転させるために、起動力の高いパドル型風車、サボニウス型風車、あるいはこれらの複合、変形型風車を用い、垂直の回転軸に固定する。この回転軸の上端、下端はボールベアリングに取り付けられ、このボールベアリングは、それぞれ支持枠に固定されている。回転軸は、支持枠に対して回転自由で、風車により回転する。この回転軸に同じ回転をする薄い円盤を固定する。この円盤の片面に磁石の磁極を同一にして配置する。風車の下部、又は上部に回転軸にボールベアリングを取り付け、このベアリングに看板部分を固定する。この看板部分は、回転軸に対して回転自由となる。回転軸に取り付けた磁石を配置した円盤と同じ形状で、磁極を逆に配置した円盤を看板の上部又は、下部に回転中心を同一になるように固定する。二つの円盤が対向するように風車部分と看板部分を配置する。看板の回転数の抑制は、円盤の大小、磁石の大小、磁石同士のギャップにより調整できる。
【実施例】
【０００７】
以下、添付図面に従って、一実施例を説明する。１はFRP、C-FRP、耐久性の高いプラスチック等適宜素材にて形成された風車で、垂直の回転軸３に連結されている。一例として4枚羽根のパドル型風車である。風車は風速が低い時も、看板を回転させるために、起動性の高い、パドル型風車、サボニウス型風車が好ましい。また広告の用途に供す為、これらの複合、変形型の風車でもよい。
【０００８】
回転軸３の上端、下端はボールベアリングに固定され、これらのボールベアリングは、それぞれに支持枠上１、支持枠下９に固定されている。支持枠上１、支持枠下９は支柱１０に固定されて、支柱１０により任意の場所に設置される。回転軸は、支持枠上１、支持枠下９に対して回転自由となって風車の回転により回転する。
【０００９】
回転軸３に風車側円盤４を固定する。風車側円盤４には円盤の片面に磁極を同一にした風車側磁石６を配置する。風車側円盤４と同一形状で、円盤の片面に風車側円盤４と対称になるように看板側磁石７を配置した看板側円盤８を回転中心が看板の回転中心と同一になるように看板５に固定する。風車側磁石６と看板側磁石７は異極で吸引力を持つように配置する。
【００１０】
看板５の上部及び下部の垂直軸中心にボールベアリング１１を取り付けこのボールベアリングを回転軸３に固定する。看板５は回転軸３に対して回転自在となるが、風車側磁石６と看板側磁石７の吸引力により、風車と連動して看板が回転する事になる。看板は、独自性、デザイン性、又は回転性を高める為に、軽量である必要がある。このために、軽量のアルミ、FRP、C-FRP等のフレームにポリエステル、ポリエチレン等のシート状あるいはフイルム状の軽量素材を貼り付け又は固定する。
【００１１】
看板５は風車側磁石６と看板側磁石７の吸引力により風車と同期して回転するが、風車２がこの吸引力以上の回転になると、スリップした状態になり、同期して回転する事が出来ない。すなわち看板５の回転数が抑制される事になる。抑制される回転数は、磁石の吸引力と看板５の質量との関係となり、風車側円盤４、看板側円盤、風車側円盤の磁石、看板側円盤の磁石、磁石間のギャップを調整する事により、抑制する回転数を変更することができる。
【図面の簡単な説明】
【００１２】
【図１】本考案の回転抑制つき風車式回転看板の実施例を示す立面図である。
【図２】本考案の回転抑制機能部分の断面図。
【符号の説明】
【００１３】
１  支持枠上
２  風車
３  回転軸
４  風車側円盤
５  看板
６  風車側円盤の磁石
７  看板側円盤の磁石
８  看板側円盤
９  支持枠下
１０  支柱
１１  看板固定ボールベアリング
【図１】
0003115292.tif 000003
【図２】
0003115292.tif 000004